(57)【要約】【課題】収容した内容物を簡単な操作で定量抽出させることができる定量抽出容器を提案する。【解決手段】本発明の定量抽出容器は、操作部３ｃを押圧すると揺動して排出口２ｄを開放する操作レバーと、内側開口４ｂを有する中栓４と、入側開口５ｂ、及び出側開口５ｃを備えるとともに計量空間Ｋを区画形成する周壁５ａ及び操作レバー３の揺動にて操作レバー３が直接的に又は間接的に押し当たる押し当て部５ｇを有し、入側開口５ｂが内側開口４ｂに連通し出側開口５ｃは排出口２ｄとは非連通となる計量位置と、出側開口５ｃが排出口２ｄに連通し入側開口５ｂは内側開口４ｂとは非連通となる排出位置との間でスライドする中間部材５とを備え、計量位置で容器本体１を傾倒姿勢に変位させて収容空間Ｓの内容物を計量空間Ｋに移動させ、操作レバー３の揺動によって中間部材５が排出位置に移動して計量空間Ｋの内容物を排出口２ｄから排出させる。【選択図】図１
2020138759.tif 000002
【特許請求の範囲】
【請求項１】
内容物を収容する収容空間を有する容器本体と、
前記容器本体に装着され、該容器本体の内容物を外界に向けて排出させる排出口を設けた頂壁を有する蓋体と、
前記蓋体に揺動可能に支持される支持部と、該支持部に対して一端側に位置する操作部と、該支持部に対して他端側に位置して前記排出口を閉鎖する一方、該操作部への押圧に伴って該排出口を開放する栓部と、を有する操作レバーと、
前記蓋体の内側に設けられ、前記収容空間に通じる内側開口を設けた天壁を有する中栓と、
入側開口及び出側開口を備えるとともに内側に計量空間を区画形成する周壁と、前記操作レバーの揺動にて該操作レバーが直接的に又は前記蓋体の一部を介して間接的に押し当たる押し当て部とを有し、前記頂壁と前記天壁との間において該天壁に沿ってスライド可能に設けられて、該入側開口が前記内側開口に連通して該出側開口は前記排出口とは非連通となる計量位置と、該出側開口が該排出口に連通して該入側開口は該内側開口とは非連通となる排出位置との間でスライドする中間部材と、を備え、
前記計量位置で前記容器本体を傾倒姿勢に変位させることによって、前記収容空間の内容物を前記計量空間に移動させ、前記操作レバーの揺動に伴う前記押し当て部への押し当たりによって、前記中間部材が前記排出位置に移動して該計量空間の内容物を前記排出口から排出させる定量抽出容器。
【請求項２】
前記中間部材は、前記周壁及び前記押し当て部を弾性的に支持する弾性支持部を有する請求項１に記載の定量抽出容器。
【請求項３】
前記中間部材は、前記中栓に対して一体的に連結するヒンジ部を有する請求項１又は２に記載の定量抽出容器。
【請求項４】
前記操作レバーは、下方に向けて突出する突起を有し、
前記蓋体は、前記突起と前記押し当て部との間に介在して、前記操作レバーの揺動にて該突起によって押圧されて該押し当て部に押し当たる押圧部を有する請求項１〜３の何れか一項に記載の定量抽出容器。
【請求項５】
前記押圧部は、前記押し当て部に対向する傾斜面を有する請求項４に記載の定量抽出容器。
【請求項６】
前記押圧部は、前記突起に係合して前記操作レバーの揺動とともに該押圧部を揺動させる係合部を有する請求項４又は５に記載の定量抽出容器。
【発明の詳細な説明】
【技術分野】
【０００１】
本発明は、粉体の化粧料や医薬品、調味料等を定量で抽出することができる定量抽出容器に関する。
【背景技術】
【０００２】
粉体の化粧料や医薬品、各種の調味料、食料品等を収容した容器においては、１回の操作で定められた量の粉体だけを抽出することができる定量抽出容器がある。
【０００３】
例えば特許文献１には、粉体を収容する容器本体１と、容器本体１の粉体を所定量収容する計量カップ５と、この計量カップ５を、粉体を計量するための「計量位置」と計量した粉体を抽出させるための「出し口」との間で回転させる上蓋３を備える容器が示されている。
【先行技術文献】
【特許文献】
【０００４】
【特許文献１】実用新案登録第３１１３２１７号公報
【発明の概要】
【発明が解決しようとする課題】
【０００５】
ところで特許文献１の容器は、上蓋３を「計量位置」に合わせた状態で容器本体１を傾倒姿勢に変位させることによって粉体を計量カップ５に移動させ、次いで容器本体１を再び正立姿勢に戻した後に上蓋３を回転させて「出し口」に合わせ、しかる後、再度容器本体１を傾倒姿勢に変位させることによって計量カップ５で計り取った粉体を排出させるものである。すなわち特許文献１の容器では、粉体を計量する場合と排出する場合に応じて上蓋３を正しい位置に合わせなければならず、また容器本体１の姿勢を何度も変えなければならないため、操作に手間を要している。
【０００６】
本発明は、このような問題点を解決することを課題とするものであり、収容した内容物を簡単な操作で定量抽出させることができる定量抽出容器を提供することを目的とする。
【課題を解決するための手段】
【０００７】
本発明は、内容物を収容する収容空間を有する容器本体と、
前記容器本体に装着され、該容器本体の内容物を外界に向けて排出させる排出口を設けた頂壁を有する蓋体と、
前記蓋体に揺動可能に支持される支持部と、該支持部に対して一端側に位置する操作部と、該支持部に対して他端側に位置して前記排出口を閉鎖する一方、該操作部への押圧に伴って該排出口を開放する栓部と、を有する操作レバーと、
前記蓋体の内側に設けられ、前記収容空間に通じる内側開口を設けた天壁を有する中栓と、
入側開口及び出側開口を備えるとともに内側に計量空間を区画形成する周壁と、前記操作レバーの揺動にて該操作レバーが直接的に又は前記蓋体の一部を介して間接的に押し当たる押し当て部とを有し、前記頂壁と前記天壁との間において該天壁に沿ってスライド可能に設けられて、該入側開口が前記内側開口に連通して該出側開口は前記排出口とは非連通となる計量位置と、該出側開口が該排出口に連通して該入側開口は該内側開口とは非連通となる排出位置との間でスライドする中間部材と、を備え、
前記計量位置で前記容器本体を傾倒姿勢に変位させることによって、前記収容空間の内容物を前記計量空間に移動させ、前記操作レバーの揺動に伴う前記押し当て部への押し当たりによって、前記中間部材が前記排出位置に移動して該計量空間の内容物を前記排出口から排出させる定量抽出容器である。
【０００８】
前記中間部材は、前記周壁及び前記押し当て部を弾性的に支持する弾性支持部を有することが好ましい。
【０００９】
前記中間部材は、前記中栓に対して一体的に連結するヒンジ部を有することが好ましい。
【００１０】
前記操作レバーは、下方に向けて突出する突起を有し、
前記蓋体は、前記突起と前記押し当て部との間に介在して、前記操作レバーの揺動にて該突起によって押圧されて該押し当て部に押し当たる押圧部を有することが好ましい。
【００１１】
前記押圧部は、前記押し当て部に対向する傾斜面を有することが好ましい。
【００１２】
前記押圧部は、前記突起に係合して前記操作レバーの揺動とともに該押圧部を揺動させる係合部を有することが好ましい。
【発明の効果】
【００１３】
本発明に従う定量抽出容器によれば、容器本体を傾倒姿勢に変位させることによって、容器本体に収容した内容物が計量空間に移動し、そのままの姿勢で操作部を押圧すれば、操作レバーの揺動に伴って中間部材が排出位置に移動して、計量空間の内容物を排出させることができる。すなわち、このような定量抽出容器によれば、所定量の内容物を抽出させるにあたって容器本体の姿勢を変更する必要はなく、また操作レバーを操作するだけで内容物を排出させることができる。
【図面の簡単な説明】
【００１４】
【図１】本発明に従う定量抽出容器の一実施形態について示した側面視での断面図である。
【図２】図１の定量抽出容器における平面図である。
【図３】図１における中栓と中間部材を、ヒンジを閉じた状態で示した平面図及び側面視での断面図である。
【図４】図１における中栓と中間部材を、ヒンジを開いた状態で示した平面図及び側面視での断面図である。
【図５】図１の定量抽出容器において、操作レバーを揺動させた状態を示した平面図及び側面視での断面図である。
【図６】図１の定量抽出容器から定量の内容物を抽出させる状況について説明する図であって、（ａ）は容器本体の内容物を計量空間に移動させる状態を示し、（ｂ）は計量空間の内容物を排出させる状態を示す。
【図７】本発明に従う定量抽出容器の他の実施形態について示した図であって、（ａ）は操作レバーを操作する前の状態を示し、（ｂ）は操作レバーを操作してこれを揺動させた状態を示す。
【発明を実施するための形態】
【００１５】
以下、図面を参照しながら本発明に従う定量抽出容器の一実施形態について説明する。なお、本明細書等では便宜上、図１に示すように容器本体（符合１）が位置する側を「下」側とし、蓋体（符合２）が位置する側を「上」側として説明する。また「前」側とは、操作レバー（符合３）における栓部（符合３ｂ）が位置する側であり、「後」側とは、操作部（符合３ｃ）が位置する側である。そして「左」側、「右」側とは、前側から後側に向かって定量抽出容器を見る際の左右方向である。
【００１６】
本実施形態の定量抽出容器は、容器本体１、蓋体２、操作レバー３、中栓４、中間部材５を備えている。なお中栓４と中間部材５は、後述するヒンジによって一体的に設けられている。
【００１７】
容器本体１は、円板状をなす底部１ａと、底部１ａの外縁部から起立する円筒状の胴部１ｂとを備えていて、全体的に有底筒状に形成されている。胴部１ｂの上端部には、雄ねじ部１ｃが設けられている。また底部１ａと胴部１ｂの内側には、粉体となる内容物を収容するための収容空間Ｓが形成されている。
【００１８】
蓋体２は、円筒状をなし、胴部１ｂの上端部を取り囲む外周壁２ａを備えている。外周壁２ａの内周面には、雄ねじ部１ｃに適合する雌ねじ部２ｂが設けられていて、雌ねじ部２ｂを雄ねじ部１ｃに螺合させることによって、蓋体２を容器本体１に装着することができる。なお、蓋体２を容器本体１に装着するにあたっては、例えばアンダーカットなど他の手段を利用してもよい。
【００１９】
外周壁２ａの上部前方には、水平方向に延在する頂壁２ｃが設けられている。頂壁２ｃには、厚み方向に頂壁２ｃを貫通する排出口２ｄが設けられている。また外周壁２ａの上部後方には、ドーム状に形作られた薄肉の弾性部２ｅが設けられている。そして弾性部２ｅの中央部には、下方に向けて突出する形態をなす押圧部２ｆが設けられている。本実施形態の押圧部２ｆは、その前面において、前方から後方に向かうにつれて下方に傾く傾斜面２ｇを備えている。また蓋体２は、弾性部２ｅの左右において、Ｕ字状をなす溝部２ｈを備えている（図１、図２参照）。そして頂壁２ｃの前方下面には、左右方向に間隔をあけた一対のガイド壁２ｊが設けられている。
【００２０】
操作レバー３は、概略板状をなしていて、図２に示すように平面視における形状は、前方の幅が狭く、後方の幅が広くなるように形作られている。操作レバー３の中央部における左右両側には、中心軸線が左右方向に指向する円柱状の支持部３ａが設けられている。支持部３ａは溝部２ｈに嵌まり込むものであって、これにより操作レバー３は蓋体２に揺動可能に支持される。なお、操作レバー３を蓋体２に揺動可能に支持させるにあたっては、例えば蓋体２に設けた溝部２ｈと操作レバー３に設けた支持部３ａとを入れ替えるなど、他の構成を採用してもよい。ここで操作レバー３の前方には、排出口２ｄに適合する形状をなす栓部３ｂを設けている。また操作レバー３の後方には、下方に向けて押圧することによって操作レバー３を揺動させる操作部３ｃを設けている。また操作部３ｃの下面には、円筒状をなし、押圧部２ｆの上面に向かって延在する突起３ｄを設けている。
【００２１】
中栓４は、胴部１ｂの上方を覆うように設けられる天壁４ａを備えている。本実施形態の天壁４ａは、全体的に円板状であって、その中央部は外縁部よりも上方に位置するように形成されている。天壁４ａにおける中央部には、厚み方向に天壁４ａを貫通する内側開口４ｂが設けられている。なお内側開口４ｂは、排出口２ｄの直下からずれた位置に設けられるものであり、本実施形態では、排出口２ｄよりも容器本体１の中心軸線Ｏに近い側に位置している。そして天壁４ａの外縁部には、上方に向けて起立する環状壁４ｃが設けられていて、この環状壁４ｃを容器本体１と蓋体２で上下方向に挟持させて中栓４を固定している。
【００２２】
中間部材５は、頂壁２ｃと天壁４ａとの間に位置するとともに天壁４ａに沿って前後方向にスライド可能に設けられる。図３に示すように中間部材５は、平面視においてトラック状をなし、上下方向に延在する周壁５ａを備えている。なお、周壁５ａの下方における開口を入側開口５ｂと称し、上方における開口を出側開口５ｃと称する。また周壁５ａに取り囲まれる内側の空間を計量空間Ｋと称する。そして周壁５ａの前方上端には、水平方向前方に向けて延在する上壁５ｄと、上壁５ｄの前方端部から下方に向かって延在するとともに周壁５ａと一体に連結する前方壁５ｅが設けられている。周壁５ａの後方下端には、周壁５ａと一体に連結して後方に向けて延在する棒状部５ｆが設けられている。なお、棒状部５ｆにおける後方端部を押し当て部５ｇと称する。そして図２に示すように周壁５ａは、対をなすガイド壁２ｊの間に位置していて、中間部材５が前後方向にスライドする際に左右方向への移動を規制している。
【００２３】
本実施形態の中間部材５は、前方壁５ｅよりも前方において、平面視でコ字状をなす基部５ｈを備えている。また基部５ｈの左右両側には、円弧状に延在した後に棒状部５ｆに向かって延在し、棒状部５ｆの中間部に連結する一対の弾性支持部５ｊが設けられている。これにより、棒状部５ｆ及び棒状部５ｆに連結する周壁５ａは、基部５ｈに対して弾性的に支持される。そして基部５ｈの前方部分には、環状壁４ｃの前方部分に一体に連結するヒンジ部５ｋが設けられている。なお本実施形態の中栓４と中間部材５は、図４に示すようにヒンジ部５ｋが開いた状態で、金型で一体物として形成されるものである。
【００２４】
これらの部材を備える定量抽出容器は、通常時においては図１に示す状態となっている。この状態において周壁５ａは、内側開口４ｂの直上に位置していて、入側開口５ｂと内側開口４ｂは連通している。一方、この状態において出側開口５ｃは、排出口２ｄとは非連通となっている。また排出口２ｄは、下方においては上壁５ｄによって閉鎖され、上方においては栓部３ｂが挿入されて閉鎖されている。なお、図１における中間部材５の位置を計量位置と称する。
【００２５】
そして操作部３ｃを下方に向けて押圧すると、図５に示すように操作レバー３が支持部３ａを中心に揺動する。これにより、排出口２ｄに挿入されていた栓部３ｂが排出口２ｄから離隔する。また操作レバー３に設けた突起３ｄが、弾性部２ｅを押圧する。これにより、弾性部２ｅは図５の断面図に示すように弾性変形し、押圧部２ｆの傾斜面２ｇが押し当て部５ｇに押し当たって、周壁５ａ及び棒状部５ｆが前方にスライドする。なお棒状部５ｆは、弾性支持部５ｊによって基部５ｈと一体に連結しているため、周壁５ａ及び棒状部５ｆは、弾性支持部５ｊを弾性変形させつつ前方にスライドする。またこの状態において周壁５ａは、排出口２ｄの直下に位置していて、出側開口５ｃと排出口２ｄは連通している。一方、入側開口５ｂは、内側開口４ｂとは非連通となっている。ここで、図５における中間部材５の位置を排出位置と称する。
【００２６】
このような構成になる定量抽出容器から内容物を定量で抽出させるにあたっては、図６（ａ）に示すように中間部材５が計量位置に変位している状態で、容器本体１を傾倒姿勢に変位させる。これにより、収容空間Ｓの内容物は、内側開口４ｂと入側開口５ｂを通って計量空間Ｋに導入される。なお、出側開口５ｃは排出口２ｄとは非連通であるため、計量空間Ｋに導入された内容物が排出口２ｄから排出されることはない。従って計量空間Ｋの容積に応じた量の内容物を計り取ることができる。
【００２７】
そして、容器本体１を傾倒姿勢にしたまま指等で操作部３ｃを押圧すると、図６（ｂ）に示すように操作レバー３が揺動し、中間部材５が排出位置へスライドする。これにより計量空間Ｋの内容物は、出側開口５ｃを通って排出口２ｄから排出される。なお、内側開口４ｂと入側開口５ｂは非連通であるため、収容空間Ｓから新たな内容物が計量空間Ｋに導入されることはない。このため、計量空間Ｋで計り取った定量の内容物だけを排出させることができる。
【００２８】
なお、中間部材５が排出位置に変位している状態においては、図５の平面図に示すように、弾性支持部５ｊは弾性変形している。また図５の断面図に示すように、弾性部２ｅも弾性変形している。このため、操作部３ｃへの押圧を解除すると、弾性支持部５ｊと弾性部２ｅが復元するため、操作レバー３と中間部材５を自動的に元の位置に変位させることができる。
【００２９】
上述した定量抽出容器は、図７のように構成することも可能である。図７に示す実施形態では、基本的な構成は図１の実施形態と同一である一方、押圧部２ｆの上面に、突起３ｄを取り囲む円筒状の係合部２ｋを設けている。
【００３０】
このように係合部２ｋを備える定量抽出容器によれば、図７（ｂ）に示すように操作レバー３を揺動させると、突起３ｄが係合部２ｋを介して押圧部２ｆを傾倒させつつ、押圧部２ｆを前方へ移動させる。従って、押圧部２ｆの傾斜面２ｇが押し当たる押し当て部５ｇも、図５に示す実施形態に比してより前方へ移動する。すなわち本実施形態によれば、中間部材５の移動量を大きくできるため、例えば周壁５ａを前後方向に広げて計量空間Ｋの容積を増やすことが可能である。
【００３１】
以上、本発明について具体的な実施形態を示しながら説明したが、本発明に従う定量抽出容器は上述した実施形態に限られるものではなく、特許請求の範囲に従う範疇で種々の変更を加えたものも含まれる。例えば上述した実施形態においては、操作レバー３を揺動させた際、突起３ｄは押圧部２ｆを介して押し当て部５ｇに押し当たるものであったが、押圧部２ｆを設けずに、突起３ｄが押し当て部５ｇに直接押し当たるものでもよい。また、揺動させた操作レバー３や排出位置の中間部材５を計量位置に自動的に復帰させるにあたり、上述した実施形態では、弾性支持部５ｊと弾性部２ｅを利用していたが、何れか一方であってもよい。
【符号の説明】
【００３２】
１：容器本体
１ａ：底部
１ｂ：胴部
１ｃ：雄ねじ部
２：蓋体
２ａ：外周壁
２ｂ：雌ねじ部
２ｃ：頂壁
２ｄ：排出口
２ｅ：弾性部
２ｆ：押圧部
２ｇ：傾斜面
２ｈ：溝部
２ｊ：ガイド壁
２ｋ：係合部
３：操作レバー
３ａ：支持部
３ｂ：栓部
３ｃ：操作部
３ｄ：突起
４：中栓
４ａ：天壁
４ｂ：内側開口
４ｃ：環状壁
５：中間部材
５ａ：周壁
５ｂ：入側開口
５ｃ：出側開口
５ｄ：上壁
５ｅ：前方壁
５ｆ：棒状部
５ｇ：押し当て部
５ｈ：基部
５ｊ：弾性支持部
５ｋ：ヒンジ部
Ｋ：計量空間
Ｏ：中心軸線
Ｓ：収容空間
【図１】
2020138759.tif 000003
【図２】
2020138759.tif 000004
【図３】
2020138759.tif 000005
【図４】
2020138759.tif 000006
【図５】
2020138759.tif 000007
【図６】
2020138759.tif 000008
【図７】
2020138759.tif 000009